(57)【要約】  本開示の実施例は、伝送方法と、装置およびシステムを提供する。前記伝送方法は、ＵＣＩがＰＵＳＣＨで伝送されるように設定され、かつ、ＰＵＳＣＨにＵＬ−ＳＣＨが含まれていない場合、ＵＣＩの実際のビットレート及び所定の閾値に応じて、ＵＣＩの伝送を決定することを含み、前記所定の閾値が所定のビットレートと所定のベータ値に応じて決定される。本開示の実施例において、ＵＣＩが所定の変調方式に応じて伝送される場合、ＵＣＩの実際のビットレートおよび所定の閾値に応じてＵＣＩの伝送を決定し、このような限定によって、所定の変調方式やＵＣＩ伝送のビット数が決定された場合に、割り当てられた時間−周波数リソースが比較的合理的であり、すなわち、変調方式に合わせたビットレートを実現し、伝送効率を向上させ、実現の複雑さを低減させることができる。
2021521758.tif 000002
【特許請求の範囲】
【請求項１】
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記上リアンク制御情報の伝送を決定することを含み、
前記所定の閾値が所定のビットレートおよび所定のベータ値に応じて決定される、
伝送方法。
【請求項２】
前記上りリンク制御情報の実際のビットレートは、
前記上りリンク制御情報のタイプと、前記上りリンク制御情報のビット数と、設定されたビットレートと、前記上りリンク制御情報の変調方式と、前記物理上りリンク共有チャネルのリソースと、設定されたベータ値とのうちの少なくとも１つによって得られる、
請求項１に記載の伝送方法。
【請求項３】
前記上りリンク制御情報の実際のビットレート及び所定の閾値に応じて、前記上リアンク制御情報の伝送を決定することは、
前記実際のビットレートが前記所定の閾値以上である場合、前記物理上りリンク共有チャネルで前記上リアンク制御情報を伝送することの少なくとも１つを含む、
請求項１に記載の伝送方法。
【請求項４】
【数１】
2021521758.tif 000037
【請求項５】
前記所定のビットレートは物理上りリンク制御チャネルに対応するビットレートの最小値であり、前記所定のベータ値は前記上りリンク制御情報に対応するベータ値の最大値であり、または、
前記所定のビットレートは物理上りリンク制御チャネルに対応するビットレートの最小値であり、前記所定のベータ値は設定されたベータ値であり、または、
所定ビットレートは設定されたビットレートであり、前記所定のベータ値は前記上りリンク制御情報に対応するベータ値の最大値である、
請求項４のいずれか１項に記載の伝送方法。
【請求項６】
設定されたビットレートに上位レベルのビットレートが存在し、かつ、設定されたベータ値に下位レベルのベータ値が存在する場合、前記所定のビットレートは、設定されたビットレートの上位レベルのビットレートであり、前記所定のベータ値は、設定されたベータ値の下位レベルのベータ値であることと、
設定されたビットレートに上位レベルのビットレートが存在し、かつ、設定されたベータ値に下位レベルのベータ値が存在しない場合、前記所定のビットレートは、設定されたビットレートの上位レベルのビットレートであり、前記所定のベータ値は、設定されたベータ値であることと、
設定されたビットレートに上位レベルのビットレートが存在せず、かつ、設定されたベータ値に下位レベルのベータ値が存在する場合、前記所定のビットレートは、設定されたビットレートであり、前記所定のベータ値は、設定されたベータ値の下位レベルのベータ値であることと、
設定されたビットレートに上位レベルのビットレートが存在せず、かつ、設定されたベータ値に下位レベルのベータ値が存在しない場合、前記所定のビットレートは、設定されたビットレートであり、前記所定のベータ値は、設定されたベータ値であることと、の少なくとも１つを含む、
請求項４のいずれか１項に記載の伝送方法。
【請求項７】
設定されたビットレートに上位レベルのビットレートが存在する場合、前記所定のビットレートは、設定されたビットレートの上位レベルのビットレートであり、前記所定のベータ値は、設定されたベータ値であることと、
設定されたビットレートに上位レベルのビットレートが存在しない場合、前記所定のビットレートは、設定されたビットレートであり、前記所定のベータ値は、設定されたベータ値であることと、の少なくとも１つを含む、
請求項４のいずれか１項に記載の伝送方法。
【請求項８】
設定されたベータ値に下位レベルのベータ値が存在する場合、前記所定のビットレートは、設定されたビットレートであり、前記所定のベータ値は、設定されたベータ値の下位レベルのベータ値であることと、
設定されたベータ値に下位レベルのベータ値が存在しない場合、前記所定のビットレートは、設定されたビットレートであり、前記所定のベータ値は、設定されたベータ値であることと、の少なくとも１つを含む、
請求項４のいずれか１項に記載の伝送方法。
【請求項９】
【数２】
2021521758.tif 000038
【請求項１０】
前記所定のベータ値は、前記上りリンク制御情報に対応するベータ値設定表から提供される、
請求項４または９に記載の伝送方法。
【請求項１１】
設定情報を決定することと、
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記設定情報の伝送を決定することとを含み、
前記所定の閾値が所定のビットレートと所定のベータ値に応じて決定される、
伝送方法。
【請求項１２】
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記設定情報の伝送を決定するように構成される第１決定モジュールを備え、
前記所定の閾値が所定のビットレートと所定のベータ値に応じて決定される、
伝送装置。
【請求項１３】
設定情報を決定するように構成される第２決定モジュールと
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記設定情報を伝送することを決定するように構成される第３決定モジュールとを備え、
前記所定の閾値が所定のビットレートと所定のベータ値に応じて決定される、
伝送装置。
【請求項１４】
プロセッサと、命令が記憶されたコンピュータ可読記憶媒体とを備え、
前記命令がプロセッサによって実行されると、請求項１〜１１のいずれか１項に記載の伝送方法が実施される、
伝送装置。
【請求項１５】
コンピュータプログラムが記憶されたコンピュータ可読記憶媒体であって、
前記コンピュータプログラムがプロセッサによって実行されると、請求項１〜１１のいずれか１項に記載の伝送方法のステップが実現される、
コンピュータ可読記憶媒体。
【発明の詳細な説明】
【技術分野】
【０００１】
本開示の実施例は、通信領域に関し、特に、伝送方法、装置およびシステムに関する。
【背景技術】
【０００２】
次世代移動通信システム（ＮＲ，Ｎｅｗ  Ｒａｄｉｏ）では、１つのユーザ機器（ＵＥ，Ｕｓｅｒ  Ｅｑｕｉｐｍｅｎｔ）について、上りリンク制御情報（ＵＣＩ，Ｕｐｌｉｎｋ  Ｃｏｎｔｒｏｌ  Ｉｎｆ  ｏｒｍａｔｉｏｎ）は、物理上りリンク共有チャネル（ＰＵＳＣＨ，Ｐｈｙｓｉｃａｌ  Ｕｐｌｉｎｋ  Ｓｈａｒｅｄ  Ｃｈａｎｎｅｌ）で伝送可能であり、かつ、ＵＥは、実際の上りリンクデータを含まないことが可能となる。つまり、ＰＵＳＣＨにＵＣＩのみが含まれ、上りリンク共有チャネル（ＵＬ−ＳＣＨ，Ｕｐｌｉｎｋ  Ｓｈａｒｅｄ  Ｃｈａｎｎｅｌ）が含まれていない。この場合、基地局からＵＥに割り当てられるＰＵＳＣＨリソースは、実際にＵＣＩの伝送に使用される。
【０００３】
現在、ＮＲでは、ＰＵＳＣＨの全ての変調方式およびビットレートによるＵＣＩの伝送が可能となる。例えば、データの伝送効率を向上させるために、直角位相振幅変調（ＱＡＭ、Ｑｕａｄｒａｔｕｒｅ  Ａｍｐｌｉｔｕｄｅ  Ｍｏｄｕｌａｔｉｏｎ）２５６などのような高次の変調方式でＵＣＩを伝送することが可能となる。しかし、ＵＣＩの伝送信頼性を確保するために、直角位相シフトキーイング（ＱＰＳＫ、Ｑｕａｄｄｒａｔｕｒｅ  Ｐｈｉｔｅ  Ｓｈｉｆｔ  Ｋｅｙ）などの低次変調方式でＵＣＩを伝送するのが一般的である。このように、基地局は、ＵＥがＰＵＳＣＨでＵＣＩを伝送するように設定し、ＵＣＩ伝送の低ビットレート要件を満たすためにより高次の変調方式とより多くの時間−周波数リソースを設定した場合、特にチャネル品質が悪い場合、伝送されるＵＣＩのビット数が少ないと、ＵＥに多くの時間−周波数リソースと高次変調方式を割り当てれば、伝送効率があきらかに低下し、かつ、ＵＥの複雑度が増加し、時間−周波数リソースを浪費した。
【０００４】
さらに、現在のＮＲシステムでは、１スロットにおけるＰＵＳＣＨの時分割多重伝送が可能であるため、ＰＵＳＣＨでＵＣＩを伝送する場合、新たな問題、即ち、ＵＣＩは１スロットで伝送されると決定されたが、このスロットに複数のＰＵＳＣＨが含まれた場合、ＵＥはどのＰＵＳＣＨで伝送するかという問題に直面している。
【発明の概要】
【発明が解決しようとする課題】
【０００５】
本開示の実施例は、伝送効率を向上させ、実現の複雑さを低減することができる伝送方法、装置およびシステムを提供する。
【課題を解決するための手段】
【０００６】
本開示の実施例は、
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記上リアンク制御情報の伝送を決定し、
前記所定の閾値が所定のビットレートおよび所定のベータ値に応じて決定される、
伝送方法を提供する。
【０００７】
本開示の実施例において、前記上りリンク制御情報の実際のビットレートは、
前記上りリンク制御情報のタイプと、前記上りリンク制御情報のビット数と、設定されたビットレートと、前記上りリンク制御情報の変調方式と、前記物理上りリンク共有チャネルのリソースと、設定されたベータ値とのうちの少なくとも１つによって得られる。
【０００８】
本開示の実施例では、前記上りリンク制御情報の実際のビットレート及び所定の閾値に応じて、前記上リアンク制御情報の伝送を決定することは、
前記実際のビットレートが前記所定の閾値以上である場合、前記物理上りリンク共有チャネルで前記上リアンク制御情報を伝送することの少なくとも１つを含む。
【０００９】
本開示の実施例において、前記所定の閾値が所定のビットレートおよび所定のベータ値に応じて決定されることは、
【００１０】
【数１】
2021521758.tif 000003
【００１１】
ここで、ｒは前記所定のビットレートであり、βは前記所定のベータ値であり、ｃは変調度であり、Ｑｍは前記変調方式に対応する変調次数である。
【００１２】
本開示の実施例において、
前記所定のビットレートは物理上りリンク制御チャネルに対応するビットレートの最小値であり、前記所定のベータ値は前記上りリンク制御情報に対応するベータ値の最大値であり、または、
前記所定のビットレートは物理上りリンク制御チャネルに対応するビットレートの最小値であり、前記所定のベータ値は、設定されたベータ値であり、または、
所定ビットレートは設定されたビットレートであり、前記所定のベータ値は前記上りリンク制御情報に対応するベータ値の最大値である。
【００１３】
本開示の実施例では、
設定されたビットレートに上位レベルのビットレートが存在し、かつ、設定されたベータ値に下位レベルのベータ値が存在する場合、前記所定のビットレートは、設定されたビットレートの上位レベルのビットレートであり、前記所定のベータ値は、設定されたベータ値の下位レベルのベータ値であることと、
設定されたビットレートに上位レベルのビットレートが存在し、かつ、設定されたベータ値に下位レベルのベータ値が存在しない場合、前記所定のビットレートは、設定されたビットレートの上位レベルのビットレートであり、前記所定のベータ値は、設定されたベータ値であることと、
設定されたビットレートに上位レベルのビットレートが存在せず、かつ、設定されたベータ値に下位レベルのベータ値が存在する場合、前記所定のビットレートは、設定されたビットレートであり、前記所定のベータ値は、設定されたベータ値の下位レベルのベータ値であることと、
設定されたビットレートに上位レベルのビットレートが存在せず、かつ、設定されたベータ値に下位レベルのベータ値が存在しない場合、前記所定のビットレートは、設定されたビットレートであり、前記所定のベータ値は、設定されたベータ値であることと、の少なくとも１つを含む。
【００１４】
本開示の実施例では、
設定されたビットレートに上位レベルのビットレートが存在する場合、前記所定のビットレートは、設定されたビットレートの上位レベルのビットレートであり、前記所定のベータ値は、設定されたベータ値であることと、
設定されたビットレートに上位レベルのビットレートが存在しない場合、前記所定のビットレートは、設定されたビットレートであり、前記所定のベータ値は、設定されたベータ値であることと、の少なくとも１つを含む。
【００１５】
本開示の実施例では、
設定されたベータ値に下位レベルのベータ値が存在する場合、前記所定のビットレートは、設定されたビットレートであり、前記所定のベータ値は、設定されたベータ値の下位レベルのベータ値であることと、
設定されたベータ値に下位レベルのベータ値が存在しない場合、前記所定のビットレートは、設定されたビットレートであり、前記所定のベータ値は、設定されたベータ値であることと、の少なくとも１つを含む。
【００１６】
本開示の実施例において、前記所定の閾値が所定のビットレートおよび所定のベータ値に応じて決定されることは、
【００１７】
【数２】
2021521758.tif 000004
【００１８】
ここで、ｒは前記所定のビットレートであり、かつ、前記所定のビットレートは、変調符号表に設定された変調方式に対応するビットレートの最小値であり、βは前記所定のベータ値であり、ｃは変調度である。
【００１９】
本開示の実施例において、前記所定のベータ値は、前記上りリンク制御情報に対応するベータ値設定表から提供される。
【００２０】
本開示の実施例は、
設定情報を決定することと、
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記設定情報の伝送を決定し、
前記所定の閾値が所定のビットレートおよび所定のベータ値に応じて決定される、
伝送方法を提供する。
【００２１】
本開示の実施例は、
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記設定情報の伝送を決定するように構成される第１決定モジュールを備え、
前記所定の閾値が所定のビットレートおよび所定のベータ値に応じて決定される、
伝送装置を提供する。
【００２２】
本開示の実施例は、
設定情報を決定するように構成される第２決定モジュールと
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記設定情報を伝送することを決定するように構成される第３決定モジュールとを備え、
前記所定の閾値が所定のビットレートおよび所定のベータ値に応じて決定される、
伝送装置を提供する。
【００２３】
本開示の実施例は、
プロセッサと、命令が記憶されたコンピュータ可読記憶媒体とを備え、
前記命令がプロセッサによって実行されると、上記いずれかの伝送方法が実現される、
伝送装置を提供する。
【００２４】
本開示の実施例は、コンピュータプログラムが記憶されたコンピュータ可読記憶媒体であって、前記コンピュータプログラムがプロセッサによって実行されると、上記いずれかの伝送方法のステップが実現されることを特徴とするコンピュータ可読記憶媒体を提供する。
【００２５】
本開示の実施例は、ＵＣＩがＰＵＳＣＨで伝送されるように設定し、かつ、ＰＵＳＣＨにＵＬ−ＳＣＨが含まれていない場合、ＵＣＩの実際のビットレート及び所定の閾値に応じて、ＵＣＩの伝送を決定し、前記所定の閾値が所定のビットレートと所定のベータ値に応じて決定されることを含み、処理の実現が容易である。本開示の実施例において、ＵＣＩが所定の変調方式に応じて伝送される場合、ＵＣＩの実際のビットレートおよび所定の閾値に応じてＵＣＩの伝送を決定し、このような限定によって、所定の変調方式やＵＣＩ伝送のビット数が決定された場合に、割り当てられた時間−周波数リソースが比較的合理的であり、すなわち、変調方式に合わせたビットレートを実現し、伝送効率を向上させ、実現の複雑さを低減させることができる。
【００２６】
別の実施例において、前記所定の閾値が所定のビットレートと所定のベータ値に応じて決定されることは、
【００２７】
【数３】
2021521758.tif 000005
【００２８】
ここで、ｒは前記所定のビットレートであり、βは前記所定のベータ値であり、ｃは変調度であり、Ｑｍは前記変調方式に対応する変調次数である。
【００２９】
本開示の実施例は、このような方式を採用することで、所定の変調方式について、いつも変調方式に対応した最適なビットレートを用いてデータを伝送することで、低効率のビットレートを排除することを確保できる。例えば、広く知られているように、一般的に、高次変調方式はチャネル品質の良い場合に使用され、この際、対応する実際のビットレートが高く、使用される時間−周波数リソースが少なく、かつ、受信側で正しく復号でき、データの効率的な伝送が可能になる。しかし、チャネル品質が悪くても高次変調方式を用いる場合、伝送の信頼性を確保するためには、より多くの時間−周波数リソースが必要となり、連続的に符号化を繰り返すことでより低い実際のビットレートを実現しなければ、高次変調方式で伝送されたデータを受信側で正しく復号することができない。後者は低効率な方式であり、禁止されるべきであることは明らかである。したがって、変調方式ごとに対応する最適なビットレートが存在する。つまり、変調方式について、対応する最適なビットレートを過度に下回ると、伝送効率が低下する。したがって、実際のビットレートの下限を限定することにより、上記のように変調方式に対応する実際のビットレートを過度に下回ることを回避し、伝送効率を向上させることができる。
【発明の効果】
【００３０】
本開示の実施例の他の特徴及び利点は、後述する明細書で説明され、明細書の一部となり、本開示の実施例とともに本開示の技術的手段を解釈することに用いられ、本開示の技術的手段を限定するものではない。
【００３１】
図面は本開示の実施例の技術的解決手段をさらに理解するためのものであり、明細書の一部を構成し、本開示の実施例と併せて本開示の実施例の技術的解決手段を説明するためのものであり、本開示の技術的解決手段を限定するものではない。
【図面の簡単な説明】
【００３２】
【図１】本開示の一実施例に係る伝送方法のフローチャートである。
【図２】本開示の別の実施例に係る伝送方法のフローチャートである。
【図３】本開示の別の実施例に係る伝送装置の構成を示す模式図である。
【図４】本開示の別の実施例に係る伝送装置の構成を示す模式図である。
【図５】本開示の別の実施例に係る伝送装置の構成を示す模式図である。
【発明を実施するための形態】
【００３３】
以下、図面を参照しながら本開示の実施例を詳細に説明する。なお、矛盾しない限り、本開示の実施例及び実施例における特徴は、互いに任意に組み合わせることが可能である。
【００３４】
図面のフローチャートに示されたステップは、指令を実行可能な一組のコンピュータからなるコンピュータシステムによって実行されてもよい。また、フローチャートには論理的な順序が示されているが、表示または説明されたステップをここの順序と異なる順序で実行してもよい場合もある。
【００３５】
図１を参照して、本開示の一実施例は、
ＵＣＩをＰＵＳＣＨで伝送するように設定し、かつ、ＰＵＳＣＨにＵＬ−ＳＣＨが含まれていない場合、ＵＣＩの実際のビットレート及び所定の閾値に応じてＵＣＩの伝送を決定し、前記所定の閾値が所定のビットレートおよび所定のベータ値に応じて決定されるステップ１００を含む伝送方法を提供する。
【００３６】
本開示の実施例において、ＵＣＩが所定の変調方式に応じて伝送される場合、ＵＣＩの実際のビットレートおよび所定の閾値に応じてＵＣＩの伝送を決定し、このような限定によって、所定の変調方式やＵＣＩ伝送のビット数が決定された場合に、割り当てられた時間−周波数リソースが比較的合理的であり、すなわち、変調方式に合わせたビットレートを実現し、伝送効率を向上させ、実現の複雑さを低減させることができる。
【００３７】
本開示の実施例において、ＵＣＩは、
ハイブリッド自動再送要求−確認情報（ＨＡＲＱ  −  ＡＣＫ，Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ）、上りリングスケジューリングリクエスト（ＳＲ，Ｓｃｈｅｄｕｌｉｎｇ  Ｒｅｑｕｅｓｔ）、チャネル状態情報（ＣＳＩ，Ｃｈａｎｎｅｌ  Ｓｔａｔｅ  Ｉｎｆｏｒｍａｔｉｏｎ）、ＣＳＩ  −  １（ＣＳＩ  ｐａｒｔ  １）、ＣＳＩ  −  ２（ＣＳＩ  ｐａｒｔ  ２）のうちの少なくとも１つを含む。
【００３８】
本開示の実施例において、実際のビットレートは、
ＵＣＩのタイプ、ＵＣＩのビット数、設定したビットレート、ＵＣＩの変調方式、ＰＵＳＣＨのリソース、設定したベータ値のうちの少なくとも１つによって得られる。
【００３９】
あるいは、実際のビットレートは、設定されたビットレートおよび設定されたベータ値との比に簡略化される。
【００４０】
具体的な導出過程は以下のとおりである。
ＵＩＣを伝送する実際のビットレートは、数式（１）に従って近似計算される。
【００４１】
【数４】
2021521758.tif 000006
【００４２】
ＵＣＩはＡＣＫである場合、
【００４３】
【数５】
2021521758.tif 000007
【００４４】
【数６】
2021521758.tif 000008
【００４５】
ＵＣＩはＣＳＩ−１である場合、
【００４６】
【数７】
2021521758.tif 000009
【００４７】
【数８】
2021521758.tif 000010
【００４８】
ＵＣＩはＣＳＩ−２である場合、
【００４９】
【数９】
2021521758.tif 000011
【００５０】
上記の導出ではＣＳＩ−１を用いたが、この導出の結論は他のタイプの上りリンク制御情報として用いられる。
【００５１】
本開示の実施例いおいて、前記上りリンク制御情報の実際のビットレートおよび所定の閾値に応じて、上りリンク制御情報の伝送を決定することは、
前記実際のビットレートが前記所定の閾値より大きいまたは等しい場合、前記物理上りリンク共有チャネルで上りリンク制御情報を伝送すること、を含む。
【００５２】
本開示の別の実施例において、当該方法は、前記実際のビットレートが前記所定の閾値より小さい場合、前記物理上りリンク共有チャネルで前記上りリンク制御情報を伝送しないことをさらに含む。
【００５３】
ここで、ＰＵＳＣＨでＵＣＩを伝送しないことは、ＰＵＳＣＨとは異なるチャネルでＵＣＩを伝送すること、またはＵＣＩを伝送しないことを意味してもよい。
【００５４】
【数１０】
2021521758.tif 000012
【００５５】
【数１１】
2021521758.tif 000013
【００５６】
ここで、ｒは前記所定のビットレートであり、かつ前記所定のビットレートは、変調符号表に設定された変調方式に対応するビットレートの最小値であり、βは、前記所定のベータ値であり、ｃは変調度である。
【００５７】
ここで、ｃは０より大きい整数である。
本開示実施例は、このような方式を採用することで、所定の変調方式について、いつも変調方式に対応した最適なビットレートを用いてデータを伝送することで、低効率のビットレートを排除することを確保できる。例えば、広く知られているように、一般的に、高次変調方式はチャネル品質が良い場合に使用され、この際、対応する実際のビットレートが高く、使用される時間−周波数リソースが少なく、かつ、受信側で正しく復号でき、データの効率的な伝送が可能になる。しかし、チャネル品質が悪くても高次変調方式を用いる場合、伝送の信頼性を確保するためには、より多くの時間−周波数リソースが必要とあり、連続的に符号化を繰り返すことでより低い実際のビットレートを実現しなければ、高次変調方式で伝送されたデータを受信側で正しく復号することができない。後者は低効率な方式であり、禁止されるべきであることは明らかである。したがって、変調方式ごとに対応する最適なビットレートが存在する。つまり、変調方式について、対応する最適なビットレートを過度に下回ると、伝送効率が低下する。したがって、実際のビットレートの下限を限定することにより、上記のように変調方式に対応する実際のビットレートを過度に下回ることを回避し、伝送効率を向上させることができる。
【００５８】
本開示実施例において、所定のビットレートおよび所定のベータ値は、以下の（１）〜（８）のいずれかの値をとることができる。
【００５９】
（１）所定のビットレートは、物理上りリンク制御チャネル（ＰＵＣＣＨ、Ｐｈｉｙｓｉｃａｌ  Ｕｐｌｉｎｋ  Ｃｏｔｒｏｌ  Ｃｈａｎｅｌ）に対応するビットレート（表１−１に示す）の最小値であり、前記所定のベータ値は、ＵＣＩに対応するベータβ値の最大値である（表２に示すような最大値）。
【００６０】
ここで、ＵＣＩがＰＵＳＣＨで伝送される場合、ＵＣＩが使用可能なビットレートは、表１−１から表１−４に示されるいずれかを含み、表１−１は３ＧＰＰ  ＴＳ  ３８．２１３  Ｖ１５．１．０（２０１８−０３）の表９．２．５．２−１かたものであり、表１−２は３ＧＰＰ  ＴＳ  ３８．２１４の表６．１．４．１−１から提供され、表１−３は  ３ＧＰＰ  ＴＳ  ３８．２１４の表５．１．３．１−１から提供され、表１−４は  ３ＧＰＰ  ＴＳ  ３８．２４からの表５．１．３．１−２から提供される。
【００６１】
ここで、３ＧＰＰ  ＴＳ  ３８．２１４において、６．１．４．１節は、ＰＵＳＣＨが使用するビットレートテーブルが与えられた（ＵＣＩがＰＵＳＣＨで伝送される場合、ＵＣＩはＰＵＳＣＨのビットレートテーブルを使用する）。なお、表５．１．３．１−１と５．１．３．１−２は６．１．４．１節で引用され、異なる場合には、異なるビットレートを使用する。
【００６２】
本開示の実施例では、３ＧＰＰ  ＴＳ  ３８．２１３  Ｖ１５．１．０（２０１８−０３）からの表９．２．５．２−１は、ＵＣＩが使用可能なビットレートであるとも考えられる。
【００６３】
以下、表１−１を例として、他のテーブルについては、本開示の実施例では原理が同一であることは、別段の説明しない。表１−１では、異なる物理上りリンク制御チャネル（ＰＵＣＣＨ、Ｐｈｙｓｉｃａｌ  Ｕｐｌｉｎｋ  Ｃｏｎｔｒｏｌ  Ｃｈａｎｅｌ）フォーマットに対応するビットレートが定義された。すなわち、ＰＵＣＣＨ伝送は、信頼性要件を満たすためには、基本的に以下のビットレート以上であることは必要だ。もちろん、異なるビットレートは、異なるチャネル品質またはＰＵＣＣＨによって運ばれるビット数などに対応する。しかし、一般的に、ＰＵＣＣＨに対応するトラヒックの信頼性への要求は高い場合や、チャネル品質が悪い場合は、より低いビットレートを使用し、逆により高いビットレートを使用する。
【００６４】
【表１】
2021521758.tif 000014
【００６５】
【表２】
2021521758.tif 000015
【００６６】
表１−２では、変調と復号ストラテジー（ＭＣＳ、Ｍｏｄｕｌａｔｉｏｎ  ａｎｄ  Ｃｏｄｉｎｇ  Ｓｃｈｅｍｅ）インデックスが０、１、２８の場合、ＵＥがｐｉ／２  ＢＰＳＫ変調をサポートすればｑ＝１、その他の変調ではｑ＝２となる。
【００６７】
【表３】
2021521758.tif 000016
【００６８】
【表４】
2021521758.tif 000017
【００６９】
ＵＣＩがＣＳＩである場合、ＣＳＩはＰＵＳＣＨで伝送される場合、βはＣＳＩ変調シンボルを符号化するの数を決定するためのパラメータの一つであり、βの値は表２を参照し、表２は３ＧＰＰ  ＴＳ  ３８．２１３  Ｖ１５．１．０（２０１８−０３）の表９．３−２から提供される。
【００７０】
【表５】
2021521758.tif 000018
【００７１】
【数１２】
2021521758.tif 000019
【００７２】
このように、ＵＣＩがＰＵＳＣＨで伝送され、かつＰＵＳＣＨにＵＬ−ＳＣＨが含まれていない場合、ＢＰＳＫ変調方式が設定されると、基地局は、ＵＥによるＵＣＩの転送の実際のビットレートをTmより小さくないように設定すべきであり、すなわち、変調方式がＢＰＳＫである場合、ＵＥは、ＵＣＩ伝送の実際のビットレートがTm以下であることを望まなく、または、ＵＥは、ＵＣＩ伝送の実際のビットレートがTmより小さいことを発見した場合、エラーとして判断し、処理を行わなく、すなわちＵＣＩを伝送しない。つまり、変調方式がＢＰＳＫの場合、ＵＥはＵＣＩで伝送される実際のビットレートがTm以下でないときだけにＵＣを伝送する。
【００７３】
【数１３】
2021521758.tif 000020
【００７４】
（２）前記所定のビットレートは、ＰＵＣＣＨに対応するビットレートの最小値であり、前記所定のベータ値は、設定されたベータ値である。
【００７５】
【数１４】
2021521758.tif 000021
【００７６】
基地局はＵＥのためにＰＵＳＣＨ（ＵＥにＵＬ−ＳＣＨが存在しない）でＵＣＩを伝送する変調方式と、対応するβの取り得る値とを設定し、このとき、ＵＥはこの設定されたβの値を用いて計算する。
【００７７】
このように、ＵＣＩがＰＵＳＣＨで伝送され、ＵＬ−ＳＣＨが存在しない場合、ＢＰＳＫ変調方式が設定されると、基地局は、ＵＥによるＵＣＩ伝送の実際のビットレートをTmより小さくないように設定すべきであり、すなわち、変調方式がＢＰＳＫである場合、ＵＥは、ＵＣＩ伝送の実際のビットレートがTm以下であることを望まなく、または、ＵＥは、ＵＣＩ伝送の実際のビットレートがTmより小さいことを発見した場合、エラーとして判断し、処理を行わない、すなわちＵＣＩを伝送しない。つまり、変調方式がＢＰＳＫの場合、ＵＥはＵＣＩで伝送される実際のビットレートがTm以下でないときだけにＵＣを伝送する。
【００７８】
【数１５】
2021521758.tif 000022
【００７９】
（３）所定のビットレートは、設定したビットレートであり、前記所定のベータ値は、ＵＣＩに対応するベータ値の最大値である。
【００８０】
【数１６】
2021521758.tif 000023
【００８１】
基地局は、ＵＥのためにＰＵＳＣＨ（ＵＥにＵＬ−ＳＣＨが存在しない）でＵＣＩを伝送する変調方式と、対応するｒの値とを設定し、このときＵＥは、この設定されたｒ値を用いて計算する。
【００８２】
このように、ＵＣＩがＰＵＳＣＨで伝送され、かつＰＵＳＣＨにＵＬ−ＳＣＨが含まれていない場合、ＢＰＳＫ変調方式が設定されると、基地局はＵＥによるＵＣＩの伝送の実際のビットレートをTmより小さくないように設定すべきであり、すなわち、変調方式がＢＰＳＫである場合、ＵＥはＵＣＩ伝送の実際のビットレートがTm以下であることを望まなく、または、ＵＥは、ＵＣＩ伝送の実際のビットレートがTmより小さいことを発見した場合、エラーとして判断し、処理を行わない、すなわちＵＣＩを伝送しない。つまり、変調方式がＢＰＳＫの場合、ＵＥはＵＣＩで伝送される実際のビットレートがTm以下でないときだけにＵＣを伝送する。
【００８３】
【数１７】
2021521758.tif 000024
【００８４】
（４）前記所定のビットレートは、設定されたビットレートの１つ前のレベルのビットレートであり、すなわち、設定されたビットレートに対応するインデックス値よりも小さい最大インデックス値に対応するビットレートであり、前記所定のベータ値は、設定されたベータ値の下位レベルのベータ値であり、すなわち、設定されたベータ値に対応するインデックス値よりも大きい最小のインデックス値に対応するベータ値である。
【００８５】
例えば、基地局は、ｒが０．３５（表１を参照する）で設定され、ベータが１．６２５（表２を参照する）である場合、Tmを計算する際に、rminは０．３５の上位レベルのｒ＝０．２５（すなわち、０．３５に対応するインデックス値より小さい最大のインデックス値に対応するビットレート）を使用して代替される。βmaxは１．６２５の下位レベルのβ＝１．７５０を使用して代替される。
【００８６】
（５）前記所定のビットレートは、設定されたビットレートの１つ前のレベルのビットレートであり、すなわち、設定されたビットレートに対応するインデックス値よりも小さい最大インデックス値に対応するビットレートであり、前記所定のベータ値は、設定されたベータ値である。
【００８７】
（６）前記所定のビットレートは、設定されたビットレートであり、前記所定のベータ値は、設定されたベータ値の下位レベルのベータ値であり、すなわち、設定されたベータ値に対応するインデックス値よりも大きい最小のインデックス値に対応するベータ値である。
【００８８】
（７）前記所定のビットレートは、設定されたビットレートであり、前記所定のベータ値は、設定されたベータ値である。
【００８９】
【数１８】
2021521758.tif 000025
【００９０】
つまり、以下のことの少なくとも１つを含む。
設定されたビットレートに上位レベルのビットレートが存在し、かつ、設定されたベータ値に下位レベルのベータ値が存在する場合、前記所定のビットレートは、設定されたビットレートの上位レベルのビットレートであり、前記所定のベータ値は、設定されたベータ値の下位レベルのベータ値であること。
【００９１】
設定されたビットレートに上位レベルのビットレートが存在し、かつ、設定されたベータ値に下位レベルのベータ値が存在しない場合、前記所定のビットレートは、設定されたビットレートの上位レベルのビットレートであり、前記所定のベータ値は、設定されたベータ値であること。
【００９２】
設定されたビットレートに上位レベルのビットレートが存在せず、かつ、設定されたベータ値に下位レベルのベータ値が存在する場合、前記所定のビットレートは、設定されたビットレートであり、前記所定のベータ値は、設定されたベータ値の下位レベルのベータ値であること。
【００９３】
設定されたビットレートに上位レベルのビットレートが存在せず、かつ、設定されたベータ値に下位レベルのベータ値が存在しない場合、前記所定のビットレートは、設定されたビットレートであり、前記所定のベータ値は、設定されたベータ値であること。
【００９４】
【数１９】
2021521758.tif 000026
【００９５】
つまり、本開示の実施例には、以下のことの少なくとも１つが含まれる。
設定されたビットレートに上位レベルのビットレートが存在する場合、前記所定のビットレートは、設定されたビットレートの上位レベルのビットレートであり、前記所定のベータ値は、設定されたベータ値であること。
【００９６】
設定されたビットレートに上位レベルのビットレートが存在しない場合、前記所定のビットレートは、設定されたビットレートであり、前記所定のベータ値は、設定されたベータ値であること。
【００９７】
【数２０】
2021521758.tif 000027
【００９８】
つまり、本開示の実施例には、以下のことの少なくとも１つが含まれる。
設定されたベータ値に下位レベルのベータ値が存在する場合、前記所定のビットレートは、設定されたビットレートであり、前記所定のベータ値は、設定されたベータ値の下位レベルのベータ値であること。
【００９９】
設定されたベータ値に下位レベルのベータ値が存在しない場合、前記所定のビットレートは、設定されたビットレートであり、前記所定のベータ値は、設定されたベータ値であること。
【０１００】
（８）ＵＣＩがＰＵＳＣＨのビットレート表を使用する場合、例えば表１−２、表１−３、表１−４のいずれかを使用する場合、以下の所定の閾値Tmを決定する方法もさらに含む。
【０１０１】
【数２１】
2021521758.tif 000028
【０１０２】
ここで、ｒは変調符号表に設定された変調方式に対応するビットレートの最小値であり、例えば表１−２、表１−３または表１−４に設定された変調方式に対応するビットレートの最小値である。
【０１０３】
βは、以下のいずれかの値を取ることができる。
（１）設定されたベータ値。
【０１０４】
（２）ＵＣＩに対応するベータβ値の最大値（表２に示す最大値）。
（３）設定されたベータ値の下位レベルのベータ値、すなわち、設定されたベータ値に対応するインデックス値よりも大きな最小インデックスの値に対応するベータ値は、設定されたベータ値の下位レベルのベータ値である。
【０１０５】
具体的には、設定されたベータ値を直接取ったり、ＵＣＩに対応するベータβ値の最大値を直接取ったり、設定されたベータ値に下位レベルのベータ値が存在する場合に、設定されたベータ値を取ったり、設定されたべータ値は、設定されたベータ値が下のレベルに存在しない場合、ゾーンに設定されたベータ値を取る。
【０１０６】
【数２２】
2021521758.tif 000029
【０１０７】
【数２３】
2021521758.tif 000030
【０１０８】
βは、以下のいずれかの値を取ることができる。
（１）設定されたベータ値。
【０１０９】
（２）ＵＣＩに対応するベータβ値の最大値（表２に示す最大値）。
（３）設定されたベータ値の下位レベルのベータ値、すなわち、設定されたベータ値に対応するインデックス値よりも大きな最小インデックスの値に対応するベータ値は、設定されたベータ値の下位レベルのベータ値である。
【０１１０】
ＰＵＳＣＨは、伝送する時に、異なる伝送モード設定に対応する変調符号表であってもよい。
【０１１１】
上記の方式は、異なるタイプの上りリンク制御情報、例えば、上りリンク制御情報は、ＨＡＲＱ−ＡＣＫ、ＳＲ、ＣＳＩ−１及びＣＳＩ−２のうちの１つ又は複数の組み合わせに適用されてもよい。方式中のｒやベータ値が対応するテーブルを使用する必要がある場合、即ち、上りリンク制御情報毎に、自身に対応するテーブルを使用する。例えば、上りリンク制御情報がＨＡＲＱ−ＡＣＫである場合に対応的にＨＡＲＱ−ＡＣＫのベータ値設定表を使用する。上りリンク制御情報がＣＳＩ−２の場合に対応的にＣＳＩ−２のベータ値設定表を使用する。
【０１１２】
すなわち、上記所定したベータ値は、ＵＣＩに対応するベータ値設定表から提供される。
【０１１３】
あるいは、上記所定したベータ値は予め設定された定数であり、例えば、２０、２５、３０、３５、４０である。
【０１１４】
本開示の実施例において、ＵＣＩの変調方式は、以下の少なくとも１つを含む。
π／２−ＢＰＳＫ、直角位相シフトキーイング（ＱＰＳＫ、Ｑｕａｄｒａｔｕｒｅ  Ｐｈａｓｅ  Ｓｈｉｆｔ  Ｋｅｙ）、１６ＱＡＭ、６４ＱＡＭ、２５６ＱＡＭ。
【０１１５】
本開示の実施例では、異なる変調方式に対応するQmの取り得る値を表３に示す。
【０１１６】
【表６】
2021521758.tif 000031
【０１１７】
図２を参照して、本開示の別の実施例は、伝送方法を提供し、以下のステップを含む。
ステップ２００において、設定情報を決定する。
【０１１８】
本開示の実施例では、設定情報は、変調方式、上記設定のビットレート、上記設定のベータ値、ＰＵＳＣＨのリソースを含む。
【０１１９】
ステップ２０１において、上りリンク制御情報を物理上りリンク共有チャネルで伝送するように設定し、かつ、前記物理上りリンク共有チャネルに上りリンク共用チャネルが含まれていない場合、前記上りリンク制御情報の実際のビットレート及び所定の閾値に応じて、前記設定情報の伝送を決定し、前記所定の閾値が所定のビットレートと所定のベータ値に応じて決定される。
【０１２０】
本開示の実施例では、前記上りリンク制御情報の実際のビットレートおよび所定の閾値に応じて、設定情報の伝送を決定することは、
前記実際のビットレートが前記所定の閾値以上である場合、設定情報を伝送することを含む。
【０１２１】
本開示の別の実施例では、
前記実際のビットレートが前記所定の閾値よりも小さい場合、設定情報を伝送しないことをさらに含む。
【０１２２】
上記ステップの具体的な実現方式は前述の実施例の具体的な実施例を参照することができ、ここでは説明を省略する。
【０１２３】
図３を参照して、本開示の別の実施例は、
上りリンク制御情報を物理上りリンク共有チャネルで伝送するように設定し、かつ、前記物理上りリンク共有チャネルに上りリンク共用チャネルが含まれていない場合、前記上りリンク制御情報の実際のビットレート及び所定の閾値に応じて、前記設定情報の伝送を決定するように構成される第１決定モジュールを備える、伝送装置（例えば、ＵＥ等）を提供する。
【０１２４】
ここで、前記所定の閾値が所定のビットレートと所定のベータ値に応じて決定される。
本開示の実施例において、第１の決定モジュールは、
前記上りリンク制御情報のタイプと、前記上りリンク制御情報のビット数と、設定されたビットレートと、前記上りリンク制御情報の変調方式と、前記物理上りリンク共有チャネルのリソースと、設定されたベータ値とのうちの少なくとも１つに応じてＵＣＩの実際のビットレートを算出するためにも用いられる。
【０１２５】
本開示の実施例では、第１決定モジュールは、具体的には、以下の少なくとも１つの方式を採用して、前記上りリンク制御情報の実際のビットレート及び所定の閾値に応じて、上りリンク制御情報の伝送を決定するために用いられる。
【０１２６】
前記実際のビットレートが前記所定の閾値以上である場合には、前記上りリンク制御情報を前記物理上りリンク共有チャネルで伝送する。
【０１２７】
本開示の実施例では、第１決定モジュールは、さらに、
前記実際のビットレートが前記所定の閾値よりも小さい場合、前記物理上りリンク共有チャネルで前記上りリンク制御情報を伝送しないことに用いられる。
【０１２８】
本開示の実施例において、第１決定モジュールは、具体的には、所定の閾値を以下のように決定するために用いられる。
【０１２９】
【数２４】
2021521758.tif 000032
【０１３０】
ここで、ｒは前記所定したビットレートであり、βは前記所定したベータ値であり、ｃは調整係数変調度であり、Ｑｍは前記変調方式に対応する変調次数である。
【０１３１】
本開示の実施例では、
前記所定のビットレートは、物理上りリンク制御情報に対応するビットレートの最小値であり、前記所定のベータ値は、前記上りリンク制御情報に対応するベータ値の最大値である。
【０１３２】
あるいは、前記所定のビットレートは、物理上りリンク制御情報に対応するビットレートの最小値であり、前記所定のベータ値は、設定されたベータ値である。
【０１３３】
あるいは、所定のビットレートは、設定されたビットレートであり、前記所定のベータ値は前記上りリンク制御情報に対応するベータ値の最大値である。
【０１３４】
あるいは、前記所定のビットレートは、設定されたビットレートの上位レベルのビットレートであり、前記所定のベータ値は、設定されたベータ値の下位レベルのベータ値である。
【０１３５】
あるいは、前記所定のビットレートは、設定されたビットレートの上位レベルのビットレートであり、前記所定のベータ値は、設定されたベータ値である。
【０１３６】
あるいは、前記所定のビットレートは、設定されたビットレートであり、前記所定のベータ値は設定されたベータ値の下位レベルのベータ値である。
【０１３７】
あるいは、前記所定のビットレートは、設定されたビットレートであり、前記所定のベータ値は設定されたベータ値である。
【０１３８】
本開示の実施例では、前記実際のビットレートは設定されたビットレートと設定されたベータ値との比である。
【０１３９】
本開示の実施例では、以下の少なくとも１つを含む。
設定されたビットレートは、上位レベルのビットレートが存在し、かつ、設定されたベータ値に下位レベルのベータ値が存在する場合、前記所定のビットレートは設定されたビットレートの上位レベルのビットレートであり、前記所定のベータ値は、設定されたベータ値の下位レベルのベータ値である。
【０１４０】
設定されたビットレートは、上位レベルのビットレートが存在し、かつ、設定されたベータ値に下位レベルのベータ値が存在しない場合、前記所定のビットレートは設定されたビットレートの上位レベルのビットレートであり、前記所定のベータ値は、設定されたベータ値である。
【０１４１】
設定されたビットレートは、上位レベルのビットレートを割り当てなく、かつ、設定されたベータ値に下位レベルのベータ値が存在する場合、前記所定のビットレートは設定されたビットレートであり、前記所定のベータ値は、設定されたベータ値の下位レベルのベータ値である。
【０１４２】
設定されたビットレートは、上位レベルのビットレートを割り当てなく、かつ、設定されたベータ値に下位レベルのベータ値が存在しない場合、前記所定のビットレートは設定されたビットレートであり、前記所定のベータ値は、設定されたベータ値であることと、
を少なくとも１つを含む。
【０１４３】
本開示の実施例では、以下の少なくとも１つを含む。
設定されたビットレートは、上位レベルのビットレートが存在する場合、前記所定のビットレートは設定されたビットレートの上位レベルのビットレートであり、前記所定のベータ値は、設定されたベータ値である。
【０１４４】
設定されたビットレートに上位レベルのビットレートが存在しない場合、前記所定のビットレートは設定されたビットレートであり、前記所定のベータ値は、設定されたベータ値である。
【０１４５】
本開示の実施例では、以下の少なくとも１つを含む。
設定されたベータ値に下位レベルのベータ値が存在する場合、前記所定のビットレートは設定されたビットレートであり、前記所定のベータ値は、設定されたベータ値の下位レベルのベータ値である。
【０１４６】
設定されたベータ値に下位レベルのベータ値が存在しない場合、前記所定のビットレートは設定されたビットレートであり、前記所定のベータ値は、設定されたベータ値である。
【０１４７】
本開示の実施例において、第１決定モジュールは具体的に以下の方式を採用して所定の閾値を決定するために用いられる。
【０１４８】
【数２５】
2021521758.tif 000033
【０１４９】
ここで、ｒは前記所定のビットレートであり、かつ前記所定のビットレートは変調符号表に設定された変調方式に対応するビットレートの最小値であり、βは前記所定のベータ値であり、ｃは変調度である。
【０１５０】
本開示の実施例において、前記所定のベータ値は、前記上りリンク制御情報に対応するベータ値設定表から提供される。
【０１５１】
図４を参照して、本開示の別の実施例は、基地局等の伝送装置を提供し、以下を含む。
設定情報を決定する第２決定モジュール。
【０１５２】
上りリンク制御情報を物理上りリンク共有チャネルにおいて伝送されるように設定され、かつ、前記物理上りリンク共有チャネルに上りリンク共用チャネルが含まれていない場合、前記上りリンク制御情報の実際のビットレート及び所定の閾値に応じて、前記設定情報を伝送する第３決定モジュール。
【０１５３】
ここで、前記所定の閾値は、所定のビットレートと所定のベータ値に応じて決定される。
【０１５４】
本開示の別の実施例は、伝送装置が提供され、プロセッサと、コンピュータ可読記憶媒体とを含み、前記コンピュータ可読記憶媒体に命令が記憶され、前記命令はプロセッサによって実行されると、上記の伝送方法のうちのいずれかを実施する。
【０１５５】
本開示の別の実施例は、コンピュータ可読記憶媒体が提供され、コンピュータプログラムが記憶され、前記コンピュータプログラムは、プロセッサによって実行されると、上記の伝送方法のうちのいずれかのステップを実現する。
【０１５６】
図５を参照して、本開示の別の実施例は、伝送システムが提供され、以下を含む。
設定情報を決定して、伝送するための基地局。
【０１５７】
設定情報を受信するためのＵＥ。上りリンク制御情報を物理上りリンク共有チャネルにおいて伝送されるように設定され、かつ、前記物理上りリンク共有チャネルに上りリンク共用チャネルが含まれていない場合、前記上りリンク制御情報の実際のビットレート及び所定の閾値に応じて、前記設定情報を伝送することを決定する。
【０１５８】
ここで、前記所定の閾値は、所定のビットレートと所定のベータ値に応じて決定される。
【０１５９】
本開示の別の実施例において、基地局は、具体的には以下のために用いられる。
配置情報を決定する。上りリンク制御情報を物理上りリンク共有チャネルにおいて伝送されるように設定され、かつ、前記物理上りリンク共有チャネルに上りリンク共用チャネルが含まれていない場合、前記上りリンク制御情報の実際のビットレート及び所定の閾値に応じて、前記設定情報の伝送を確定する。
【０１６０】
ここで、前記所定の閾値は、所定のビットレートと所定のベータ値に応じて決定される。
【０１６１】
実施例
ＵＣＩをＰＵＳＣＨで伝送するように設定し、かつ、ＰＵＳＣＨにＵＬ−ＳＣＨを割り当てなく、基地局とＵＥは、基地局が設定したＵＣＩ（ＨＡＲＱ−ＡＣＫ、ＳＲ、ＣＳＩ−１、ＣＳＩ−２のうち一つ以上を含む）の各変調方式を約束し、ＵＣＩビットの実際のビットレートが閾値Ｔｍより小さい場合、ＵＥは、基地局のそのような設定を処理しない（これは誤った設定であると考えられる）。すなわち、基地局は、ＵＥにＵＣＩ伝送のビットレートがＴｍより小さいことを設定することは許可しない。ここでの変調方式には、表３においての変調方式をふくむ。そして、Ｔｍの決定については、以下の方式の１つのようにして行われる。
【０１６２】
基地局およびＵＥは、Ｔｍの取り得る値はパラメータｒおよびベータファクタによって導出できることを約束する。あるいはｒとベータを固定値とした場合には変調方式毎に対応する一定値が得られる。以下、Ｔｍを導出する方式（そのうちの１つを使えばよい）を数種類示してＣＳＩ−１を例にとり、他のＵＣＩについても類似する導出する方式を使う（以下の方式において、ＵＣＩが特に説明しなければ、ＣＳＩ−１を例にとるのでＣＳＩ−１を指すはずである）。
【０１６３】
方式１
ＢＰＳＫ変調を用いた場合に対して、Tm= rmin/betamaxであり、ここで、rminは表１の最小値である。betamaxは、表２のＣＳＩ−１の最大値である。
【０１６４】
このように、基地局とＵＥが、ＵＣＩがＰＵＳＣＨで伝送され、かつＰＵＳＣＨにＵＬ−ＳＣＨが含まれていない場合、ＢＰＳＫ変調方式が設定されると、基地局はＵＥによるＵＣＩの伝送の実際のビットレートをTmより小さくないように設定する。すなわち、変調方式がＢＰＳＫである場合、ＵＥはＵＣＩ伝送の実際のビットレートがTm以下であることを望まなく、または、ＵＥは、ＵＣＩ伝送の実際のビットレートがTmより小さいことを発見した場合、エラーとして判断し、処理を行わない、すなわちＵＣＩを伝送しない。つまり、変調方式がＢＰＳＫの場合、ＵＥはＵＣＩで伝送される実際のビットレートがTm以下でないときだけにＵＣを伝送する。
【０１６５】
他の変調方式（ＢＰＳＫを含んでもよい）については、対応するTmはQm*rmin/betamaxであり、Qmの値を表３に示す。
【０１６６】
具体的な導出手順は以下の通りである。ＵＣＩ伝送時の実際のビットレートについては、近似的に以下のように算出される（ＣＳＩ−１を例とする）：
【０１６７】
【数２６】
2021521758.tif 000034
【０１６８】
【数２７】
2021521758.tif 000035
【０１６９】
方式２
ＢＰＳＫ変調を用いた場合に対して、Tm= rmin/beta。ここで、rminは表１の最小値である。ｂｅｔａは、基地局がＵＥがＵＣＩを今回伝送するために設定されたもので、表２のｂｅｔａの取り得る値をとる。例えば、基地局は、ＵＥのためにＰＵＳＣＨ（ＵＥがＵＬ−ＳＣＨを割り当てない）でＵＣＩを伝送する変調方式、及び対応するｂｅｔａの取り得る値を設定する。そのとき、ＵＥは、当該設定されたｂｅｔａの取り得る値を使用して要求に応じて計算を行う。
【０１７０】
このように、基地局とＵＥが、ＵＣＩがＰＵＳＣＨで伝送され、かつＰＵＳＣＨにＵＬ−ＳＣＨが含まれていない場合、ＢＰＳＫ変調方式が設定されると、基地局はＵＥによるＵＣＩの伝送の実際のビットレートをTmより小さくないように設定する。すなわち、変調方式がＢＰＳＫである場合、ＵＥによるＵＣＩの伝送の実際のビットレートがTm以下であることを望まなく、または、ＵＥは、ＵＣＩ伝送の実際のビットレートがTmより小さいことを発見した場合、エラーとして判断し、処理を行わない。つまり、変調方式がＢＰＳＫである場合、ＵＥは、ＵＣＩ伝送の実際のビットレートがTm以下でないときだけにＵＣを伝送する。
【０１７１】
他の変調方式（ＢＰＳＫも含むことができる）については、対応するTmはQm*rmin/beta、Qmの値を表３に示す。
【０１７２】
方式３
ＢＰＳＫ変調を用いた場合に対して、Tm= r/betamaxであり、ここで、ｒは基地局がＵＥがＵＣＩを今回伝送するために設定されたものであり、表１のｒの取り得る値をとる。例えば、基地局は、ＵＥのためにＰＵＳＣＨ（ＵＥがＵＬ−ＳＣＨを割り当てない）でＵＣＩを伝送する変調方式、及び対応するｒの取り得る値を設定する。そのとき、ＵＥは、当該設定されたｒの取り得る値を使用して要求に応じて計算を行う。betamaxは表２中の最大値である。
【０１７３】
このように、基地局とＵＥが、ＵＣＩがＰＵＳＣＨで伝送され、かつＰＵＳＣＨにＵＬ−ＳＣＨが含まれていない場合、ＢＰＳＫ変調方式が設定されると、基地局はＵＥによるＵＣＩ伝送の実際のビットレートをTmより小さくないように設定することを約束する。すなわち、変調方式がＢＰＳＫである場合、ＵＥによるＵＣＩ伝送の実際のビットレートがTm以下であることを望まなく、または、ＵＥは、ＵＣＩ伝送の実際のビットレートがTmより小さいことを発見した場合、エラーとして判断し、処理を行わない。つまり、変調方式がＢＰＳＫである場合、ＵＥはＵＣＩ伝送の実際のビットレートがTm以下でないときだけにＵＣを伝送する。
【０１７４】
他の変調方式（ＢＰＳＫを含んでもよい）については、対応するTmはQm*r/betamax、Qmの値を表３に示す。
【０１７５】
方式４
方式１〜３において、rminおよび／またはbetamaxがあれば、以下のように値を取る。
【０１７６】
rminは、基地局設定されたｒの上向きのレベル（ビットレートの数値が減少する方向へ）のｒを用いて代替する。betamaxは、基地局設定されたベータの下のレベル（数値が増加する方向へ）のベータを使用して代替される。上または下に対応するレベルがない場合は、設定されたｒまたはベータ値を使用する。
【０１７７】
例えば、基地局設定されたｒは０．３５（表１を参照する）であると、rminを計算するのは０．３５の前のレベル０．２５を使用し、betamaxは基地局設定されたベータの下のレベル（数値が増大する方向へ）のbetaを使用して代替される。例えば、基地局は、betaが１．６２５（表２を参照する）とを設定する場合、betaminを計算する際に、１．６２５の次のレベル１．７５０を使用する。上または下に対応するレベルがない場合は、設定されたｒまたはbeta値を使用する。
【０１７８】
例えば、方式１において、設定された変調方式に対して、対応するＴｍはQm*rmin/betamax（Qmの取り得る値は表３に示す）であり、現在方式４の処理によれば、このとき設定された変調方式に対して、対応するＴｍはQm*rnew/betanew（Qmの取り得る値は表３を参照する）であり、ここでrnewは配置されたｒの上のレベルのｒ値である。betanewは、配置されたベータの下のレベルのベータ値である。上または下に対応するレベルがない場合は、設定されたｒまたはベータ値を使用する。
【０１７９】
例えば、方式２において、設定された変調方式に対して、対応するＴｍはＱｍ＊ｒｍｉｎ／ｂｅｔａ（Ｑｍの取り得る値は表３に示す）であり、現在方式４の処理によれば、このとき設定された変調方式に対して、対応するTmはQm*rnew/beta（Ｑｍの取り得る値は表３を参照する）であり、ここでrnewは配置されたｒの上のレベルのｒ値である。上または下に対応するレベルがない場合は、設定されたｒまたはbeta値を使用する。
【０１８０】
例えば、方式３において、設定された変調方式に対して、対応するTmはQm*r/betamax（Ｑｍの取り得る値は表３に示す）であり、現在方式４の処理によれば、このとき設定された変調方式に対して、対応するＴｍはQm*r/betanew（Ｑｍの取り得る値は表３を参照する）であり、ここでbetanewは配置されたｂｅｔａの下のレベルのｂｅｔａ値である。上または下に対応するレベルがない場合は、設定されたｒまたはｂｅｔａ値を使用する。
【０１８１】
【数２８】
2021521758.tif 000036
【０１８２】
ＵＣＩは、ＰＵＳＣＨでの伝送を実行する際に、一つのスロットに複数のＰＵＳＣＨがある場合には（ＰＵＳＣＨにＵＬ−ＳＣＨがなくてもよい）、基地局とＵＥは、スロットにおいてのｎ番目の（時間方向）ＰＵＳＣＨチャネルを選択してＵＣＩの伝送を行うことを約束する（好ましくはｎは１である）。また、基地局とＵＥは、スロットにおいてＰＵＳＣＨの時間−周波数リソースが最も多いＰＵＳＣＨをＵＣＩの伝送を行うことを約束する（時間−周波数リソースが最も多いＰＵＳＣＨが複数ある場合、一番の時間−周波数リソースが最も多いＰＵＳＣＨを選択する。すなわち、ユーザ機器ＵＥは、上りリンク制御情報ＵＣＩを物理上りリンク共有チャネルＰＵＳＣＨで伝送するように設定されており、前記ＰＵＳＣＨが所在するタイムスロットｓｌｏｔで前記ＵＥの複数のＰＵＳＣＨがある場合に、前記ｓｌｏｔ  中のｎ番目ＰＵＳＣＨチャネルを選択して、ＵＣＩの伝送を行い、あるいは、基地局は、ＵＥはどのＰＵＳＣＨでＵＣＩの伝送を行うかをシグナリングによって通知する（例えば、ＤＣＩで直接シグナリングによって通知する、または他のパラメータによって暗黙的に通知する）。暗黙的に通知する方法に対しては、基地局は、ＤＣＩが位置する制御チャネル手段（ＣＣＥ、Ｃｏｎｔｒｏｌ  Ｃｈａｎｅｌ  Ｅｌｅｍｅｎｔ）インデックスを介して、ＵＥがｓｌｏｔで使用するＰＵＳＣＨはどちらだかを決定することができる。例えば、一番のＣＣＥインデックスの値はＰＵＳＣＨの個数の余りを求め、余りはｓｌｏｔのいくつ目のＰＵＳＣＨがＵＣＩの伝送を使用されることを表す。余りは０で第一番のＰＵＳＣＨを表し、余りは１で第二のＰＵＳＣＨを表し、…は順次類推する。
【０１８３】
前記ｓｌｏｔにおいて前記複数のＰＵＳＣＨにおける時間−周波数リソースが最も多いＰＵＳＣＨによってＵＣＩの伝送を行う方法を選択して採用するのはＰＵＳＣＨの性能に対する影響を最小化することが有利であるり、このように、パンチングされたＰＵＳＣＨデータは、元の全体的なＰＵＳＣＨデータよりも小さい。通知を採用することは、ＵＣＩが信頼性が高いサービス（例えば、超信頼性低遅延通信（ＵＲＬＬＣ、Ｕｌｔｒａ  Ｒｅｌｉａｂｌｅ＆Ｌｏｗ  Ｌａｔｅｎｃｙ  Ｃｏｍｍｕｎｉｃａｔｉｏｎ）サービス）を要求するＰＵＳＣＨで伝送することを回避することに有利であり、ＵＲＬＬＣの信頼性に影響を与えない。現在、ＵＥはスケジューリングされたトラフィックがＵＲＬＬＣかどうかは不明であるが、基地局は明らかである。
【０１８４】
本明細書に開示された方法のうちの全部又は一部のステップ、システム、装置における機能モジュール／手段は、ソフトウェア、ファームウェア、ハードウェア及びその適宜な組み合わせとして実施され得ることは、当業者に理解されるところである。ハードウェアの実施の形態において、以上の説明で言及した機能モジュール／手段の間の区画は、必ずしも物理的な構成要素の区画に対応していなくてもよい；例えば、１つの物理モジュールが複数の機能を有していてもよいし、１つの機能又はステップが複数の物理要素が協働して実行してもよい。ある要素又は全ての要素は、プロセッサ、又は、デジタルプロセッサまたはマイクロプロセッサが実行するソフトウェアであってもよいし、ハードウェアとして実施されていてもよいし、専用の集積回路などの集積回路として実施されてもよい。このようなソフトウェアは、コンピュータ可読媒体上に配置されてよく、コンピュータ可読媒体は、コンピュータ記憶媒体（又は、非一時的な媒体）と、通信媒体とを含んでもよい。用語「コンピュータ記憶媒体」は、当業者によく知られているように、コンピュータ可読命令、データ構造、プログラムモジュールまたはその他のデータなどの情報を記憶するための任意の方法又は技術に実施される揮発性及び不揮発性、リムーバブルメディアと着脱できない媒体を含む。コンピュータ記憶媒体はＲＡＭ、ＲＯＭ、ＥＥＰＲＯＭ、フラッシュメモリ又は他のメモリ技術、ＣＤ−ＲＯＭ、デジタル多機能ディスク（ＤＶＤ）又は他の光ディスク記憶、磁気ボックス、磁気テープ、磁気ディスク記憶又は他の磁気記憶装置、又は所望の情報を記憶しかつコンピュータによりアクセス可能な任意の他の媒体を含むがそれらに限定されない。また、通信媒体は、典型的には、コンピュータ可読命令、データ構造、プログラムモジュール、または、搬送波やその他の伝送機構などの変調データ信号の他のデータを含み、任意の情報伝送媒体を含んでもよいことは、当業者に周知である。
【０１８５】
本開示の実施例に開示された実施例は以上のとおりであるが、上記の内容は本開示の実施例を理解しやすくするために採用したものであり、本開示の実施例を限定するものではない。本開示の実施の形態が属する技術の分野における通常の知識を有する者であれば、本開示の実施の形態に記載された精神及び範囲から逸脱することなく、実施の形態及び詳細に何ら修正及び変更を加えることが可能であるが、本開示の実施の形態に係る特許請求の範囲は、添付の特許請求の範囲によって定義される範囲を基準とする。
【０１８６】
本開示は、無線通信分野に適用され、実際のビットレートの下限を限定することで、変調方式に対応した最適なビットレートの発生を回避し、伝送効率を向上させるものである。
【図１】
2021521758.tif 000039
【図２】
2021521758.tif 000040
【図３】
2021521758.tif 000041
【図４】
2021521758.tif 000042
【図５】
2021521758.tif 000043
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記上リアンク制御情報の伝送を決定することを含み、
前記所定の閾値が所定のビットレートおよび所定のベータ値に応じて決定される、
伝送方法。
【請求項２】
前記上りリンク制御情報の実際のビットレートは、
前記上りリンク制御情報のタイプと、前記上りリンク制御情報のビット数と、設定されたビットレートと、前記上りリンク制御情報の変調方式と、前記物理上りリンク共有チャネルのリソースと、設定されたベータ値とのうちの少なくとも１つによって得られる、
請求項１に記載の伝送方法。
【請求項３】
前記上りリンク制御情報の実際のビットレート及び所定の閾値に応じて、前記上リアンク制御情報の伝送を決定することは、
前記実際のビットレートが前記所定の閾値以上である場合、前記物理上りリンク共有チャネルで前記上リアンク制御情報を伝送することを含む、
請求項１に記載の伝送方法。
【請求項４】
【数１】
2021521758.tif 000044
【請求項５】
前記所定のビットレートは物理上りリンク制御チャネルに対応するビットレートの最小値であり、前記所定のベータ値は前記上りリンク制御情報に対応するベータ値の最大値であり、または、
前記所定のビットレートは物理上りリンク制御チャネルに対応するビットレートの最小値であり、前記所定のベータ値は設定されたベータ値であり、または、
所定ビットレートは設定されたビットレートであり、前記所定のベータ値は前記上りリンク制御情報に対応するベータ値の最大値である、
請求項４のいずれか１項に記載の伝送方法。
【請求項６】
設定されたビットレートに上位レベルのビットレートが存在し、かつ、設定されたベータ値に下位レベルのベータ値が存在する場合、前記所定のビットレートは、設定されたビットレートの上位レベルのビットレートであり、前記所定のベータ値は、設定されたベータ値の下位レベルのベータ値であることと、
設定されたビットレートに上位レベルのビットレートが存在し、かつ、設定されたベータ値に下位レベルのベータ値が存在しない場合、前記所定のビットレートは、設定されたビットレートの上位レベルのビットレートであり、前記所定のベータ値は、設定されたベータ値であることと、
設定されたビットレートに上位レベルのビットレートが存在せず、かつ、設定されたベータ値に下位レベルのベータ値が存在する場合、前記所定のビットレートは、設定されたビットレートであり、前記所定のベータ値は、設定されたベータ値の下位レベルのベータ値であることと、
設定されたビットレートに上位レベルのビットレートが存在せず、かつ、設定されたベータ値に下位レベルのベータ値が存在しない場合、前記所定のビットレートは、設定されたビットレートであり、前記所定のベータ値は、設定されたベータ値であることと、の少なくとも１つを含む、
請求項４のいずれか１項に記載の伝送方法。
【請求項７】
設定されたビットレートに上位レベルのビットレートが存在する場合、前記所定のビットレートは、設定されたビットレートの上位レベルのビットレートであり、前記所定のベータ値は、設定されたベータ値であることと、
設定されたビットレートに上位レベルのビットレートが存在しない場合、前記所定のビットレートは、設定されたビットレートであり、前記所定のベータ値は、設定されたベータ値であることと、の少なくとも１つを含む、
請求項４のいずれか１項に記載の伝送方法。
【請求項８】
設定されたベータ値に下位レベルのベータ値が存在する場合、前記所定のビットレートは、設定されたビットレートであり、前記所定のベータ値は、設定されたベータ値の下位レベルのベータ値であることと、
設定されたベータ値に下位レベルのベータ値が存在しない場合、前記所定のビットレートは、設定されたビットレートであり、前記所定のベータ値は、設定されたベータ値であることと、の少なくとも１つを含む、
請求項４のいずれか１項に記載の伝送方法。
【請求項９】
【数２】
2021521758.tif 000045
【請求項１０】
前記所定のベータ値は、前記上りリンク制御情報に対応するベータ値設定表から提供される、
請求項４または９に記載の伝送方法。
【請求項１１】
設定情報を決定することと、
上りリンク制御情報が物理上りリンク共有チャネルで伝送されるように設定され、かつ、前記物理上りリンク共有チャネルに上りリンク共用チャネルが含まれていない場合、前記上りリンク制御情報の実際のビットレート及び所定の閾値に応じて、前記設定情報の伝送を決定することとを含み、
前記所定の閾値が所定のビットレートと所定のベータ値に応じて決定される、
伝送方法。
【請求項１２】
上りリンク制御情報ＵＣＩが物理上りリンク共有チャネルＰＵＳＣＨにおいて伝送され、かつ、複数のＰＵＳＣＨが存在することに対応するように、ＵＥは、
常に、時間方向における第一番のＰＵＳＣＨをｓｌｏｔ内で選択するルールと、
時間−周波数リソースの最も多いＰＵＳＣＨを選択し、選択されたＰＵＳＣＨから、時間方向における第一番のＰＵＳＣＨを選択するルールと、
基地局によって、どのＰＵＳＣＨでＵＣＩが伝送されることをＵＥに明確に通知する、または、基地局によって、ＤＣＩが位置する制御チャネル手段インデックスを介して、どのＰＵＳＣＨでＵＣＩが伝送されることをＵＥに間接的に通知するルールとによって、
前記上りリンク制御情報ＵＣＩを伝送するＰＵＳＣＨを決定する、
ことを含む、伝送方法。
【請求項１３】
プロセッサと、命令が記憶されたコンピュータ可読記憶媒体とを備え、
前記命令がプロセッサによって実行されると、請求項１〜１１のいずれか１項に記載の伝送方法が実施される、
伝送装置。
【請求項１４】
コンピュータプログラムが記憶されたコンピュータ可読記憶媒体であって、
前記コンピュータプログラムがプロセッサによって実行されると、請求項１〜１１のいずれか１項に記載の伝送方法のステップが実現される、
コンピュータ可読記憶媒体。
【国際調査報告】
2021521758.tif 000046
2021521758.tif 000047
2021521758.tif 000048
2021521758.tif 000049